(57)【要約】【課題】接続しているネットワーク内においてのみ有効な辞書データを自動的にダウンロードし、辞書エリアを圧迫することなく適切な日本語変換が行えるようにした辞書登録システム及びその端末装置を提供する。【解決手段】ネットワーク１０１，１０２，１０３のそれぞれには、辞書データ１２１，１２２，１２３を備えるサーバ１１１，１１２，１１３が接続されている。ネットワーク１０１〜１０３には、表示操作部１４０と、ユーザ辞書エリア１５０及びダウンロード辞書エリア１６０を有するメモリ１８０を備える端末装置１３０が接続される。端末装置１３０をネットワーク１０１に接続する場合、ネットワーク１０１が保持する辞書データ１２１がダウンロード辞書エリア１６０に存在しないとき、辞書データ１２１がネットワーク１０１からダウンロード辞書エリア１６０へ自動的にダウンロードされる。【選択図】　　　　図１
2004078664.tif 000002
【特許請求の範囲】
【請求項１】
それぞれのサイトの利用に適した辞書データを備える複数のネットワークと、
設定したダウンロード辞書エリアに前記複数のネットワークのいずれかからダウンロードした辞書データが格納される記憶媒体を有する端末装置とを備え、
前記複数のネットワークのいずれかに前記端末装置を接続の際、前記端末装置は接続先のネットワークが保持する辞書データが前記ダウンロード辞書エリアに存在しないときに前記接続先のネットワークから辞書データを自動的にダウンロードすることを特徴とする辞書登録システム。
【請求項２】
前記端末装置は、前記ダウンロード辞書エリアの容量が少ない携帯電話機、ＰＨＳ（Ｐｅｒｓｏｎａｌ　Ｈａｎｄｙｐｈｏｎｅ　Ｓｙｓｔｅｍ）電話機、またはＰＤＡ（Ｐｅｒｓｏｎａｌ　Ｄｉｇｉｔａｌ　Ａｓｓｉｓｔａｎｔ）端末機であることを特徴とする請求項１記載の辞書登録システム。
【請求項３】
前記端末装置は、前記ダウンロードに際し、前記ダウンロード辞書エリアに空きがないとき、既に格納済みの辞書データの内、使用頻度の低い辞書データを削除してから前記ダウンロードを開始することを特徴とする請求項１または２記載の辞書登録システム。
【請求項４】
前記端末装置は、前記ダウンロードに際し、前記ダウンロード辞書エリアに空きがないとき、最も過去に使用された辞書データを削除してから前記ダウンロードを開始することを特徴とする請求項１または２記載の辞書登録システム。
【請求項５】
前記端末装置は、前記ダウンロードに際し、前記ダウンロード辞書エリアに空きがないとき、アクセス回数の少なかったネットワークに対応する辞書データから削除してから前記ダウンロードを開始することを特徴とする請求項１または２記載の辞書登録システム。
【請求項６】
前記端末装置は、辞書データ内の語彙の使用頻度を計測し、これを使用頻度データとしてダウンロード時のネットワークへ通知し、
前記ネットワークは、前記端末装置からの前記使用頻度データに基づいて使用頻度の低い語彙を辞書データから削除することを特徴とする請求項１記載の辞書登録システム。
【請求項７】
ネットワークからダウンロードされた辞書データを格納するダウンロード辞書エリアを有する記憶媒体と、
前記ネットワークに接続の際、このネットワークの保持する辞書データが前記ダウンロード辞書エリアに存在しないとき、前記辞書データを前記ネットワークから自動的にダウンロードする制御部とを備えることを特徴とする端末装置。
【請求項８】
前記制御部は、前記ダウンロードに際し、前記ダウンロード辞書エリアに空きがないとき、既に格納済みの辞書データの内、使用頻度の低い辞書データから削除してから前記ダウンロードを開始することを特徴とする請求項７記載の端末装置。
【請求項９】
前記制御部は、前記ダウンロードに際し、前記ダウンロード辞書エリアに空きがないとき、最も過去に使用された辞書データから削除してから前記ダウンロードを開始することを特徴とする請求項７記載の端末装置。
【請求項１０】
前記制御部は、前記ダウンロードに際し、前記ダウンロード辞書エリアに空きがないとき、アクセス回数の少なかったネットワークに対応する辞書データから削除してから前記ダウンロードを開始することを特徴とする請求項７記載の端末装置。
【請求項１１】
前記制御部は、前記ダウンロードした辞書データを対応するネットワーク名に関連付けて格納することを特徴とする請求項第７項から第１０項のいずれか１に記載の端末装置。
【請求項１２】
前記制御部は、前記ダウンロード辞書エリアに格納されている辞書データの参照を接続中のネットワークに対応するものに限定し、他の辞書データは参照しないことを特徴とする請求項第７項から第１１項のいずれか１に記載の端末装置。
【請求項１３】
前記記憶媒体は、ユーザ辞書を格納するユーザ辞書エリアを有し、
前記制御部は、前記ユーザ辞書エリア及び前記ダウンロード辞書エリアに登録されている語彙を用いてかな漢字変換を行うことを特徴とする請求項第７項から第１２項のいずれか１に記載の端末装置。
【請求項１４】
前記制御部は、前記ネットワークとの接続開始時、及び接続終了時に、かな漢字変換処理の参照先を前記ユーザ辞書エリアに格納されているユーザ辞書に戻すことを特徴とする請求項１３記載の端末装置。
【発明の詳細な説明】
【０００１】
【発明の属する技術分野】
本発明は、辞書登録システム及びその端末装置に関し、特に、接続中のネットワークにおいてのみ有効な辞書データを自動的にダウンロードされるようにし、辞書エリアを有効利用してがら適切な日本語変換が行えるようにした辞書登録システム及びその端末装置に関する。
【０００２】
【従来の技術】
近年、携帯電話機、ＰＨＳ（Ｐｅｒｓｏｎａｌ　Ｈａｎｄｙｐｈｏｎｅ　Ｓｙｓｔｅｍ）電話機、公衆無線電話網との無線通信機能を備えた携帯情報端末装置（ＰＤＡ）等の携帯端末装置では、インターネットが利用できるようになり、ＷＷＷ（Ｗｏｒｌｄ　Ｗｉｄｅ　Ｗｅｂ）情報の閲覧、電子メール（Ｅメール）の送受信が、パーソナルコンピュータ等を介さずに行えるようになっている。この場合、ユーザが日本人であれば、日本語による入力が必須になる。日本語入力に際しては仮名漢字変換が使われが、そのためには携帯端末装置に辞書（辞書データ）が搭載されている必要がある。
【０００３】
仮名漢字変換においては、搭載辞書に格納されている語彙数が多いほど、変換精度が良くなる。パーソナルコンピュータの場合、ハードディスクの大容量化が進み、仮名漢字変換ソフトウェアの辞書サイズを大きくできるようになり、これにより格納語彙数も多くなっている。しかし、携帯端末装置は搭載できるメモリ容量に限界があるため、パーソナルコンピュータとは異なり、搭載辞書の語彙数が制限された仮名漢字変換ソフトウェアを搭載せざるをえず、パーソナルコンピュータに比べて変換効率が悪くなることは避けられない。
【０００４】
そこで、携帯端末装置に搭載する語彙数を低減する手段として、ネットワークから語彙を含む辞書データを携帯端末装置によりダウンロードし、この辞書データを用いて仮名漢字変換処理を行う方法がある。この従来の辞書登録システムについて、以下に、図を示して説明する。
【０００５】
図５は、端末装置における従来の辞書登録システムを示す。
ネットワーク５００には、ユーザが使用する携帯電話機等の端末装置５２０のユーザ辞書に登録可能な辞書データ５４１，５４２，５４３を備えるサーバ５４０が接続されている。このサーバ５４０には無線基地局及び公衆電話網（いずれも図示せず）を介して、端末装置５２０が接続される。端末装置５２０は、表示操作のユーザインターフェース（Ｉ／Ｆ）としての表示操作部５６０とメモリ５８０を備えている。このメモリ５８０には、日本語変換時に使用されるユーザ辞書エリア５９０が確保されており、ユーザが登録した語彙５９１，５９２，５９３・・・の語彙が格納されている。表示操作部５６０は、ユーザの入力操作に応じて仮名漢字変換を実行する部分である。例えば、「あ」と入力すれば、この「あ」を筆頭語にして、「青」、「浅瀬」、「小豆」、「頭」、・・・等の語が候補として表示される。ユーザが、表示された語の中から１つを選択すると、それが仮名漢字変換の処理結果となる。
【０００６】
ユーザがユーザ辞書エリア５９０に語彙の追加を行う場合、表示操作部５６０により手動操作により登録を行うか、ネットワーク５００のサーバ５４０から辞書データをダウンロードし、辞書データ内部の語彙をユーザ辞書エリア５９０に一括登録する。サーバ５４０からユーザ辞書エリア５９０にダウンロードされた辞書データの中の語彙は、仮名漢字変換の際に利用される。
【０００７】
なお、ネットワークから辞書データをダウンロードする技術には、この他、特開平１１−３３３０号公報がある。この発明では、仮名漢字変換を行いたいユーザは、インターネット上に公開されている仮名漢字変換辞書を処理装置にダウンロードして磁気ディスク装置に格納し、仮名漢字変換を行うときに仮名漢字変換サーバにより磁気ディスク装置から辞書を読み出して利用する。そして、一定時間経過してもユーザが仮名漢字変換を要求しないときには、辞書の再ダウンロードを実行すると共に、旧ダウンロードの辞書を削除する。
【０００８】
【発明が解決しようとする課題】
しかし、従来の辞書登録システムによると、図５の構成の場合、以下のような課題がある。
（１）語彙の登録方法が手動で行う場合、登録処理が煩雑になる。
（２）辞書データから一括で語彙の登録を行った場合、不要な語彙までユーザ辞書エリアに登録してしまい、メモリ資源の少ない携帯電話機等の端末装置では、すぐに容量がオーバする。
（３）辞書データを大量に一括で登録すると、一度の変換で目的の語彙を発見し難くなるため、変換効率が低下する。
【０００９】
また、特開平１１−３３３０号公報の場合、ダウンロードする辞書のサイズに制限はないものの、ＵＲＬ（Ｕｎｉｆｏｒｍ　Ｒｅｓｏｕｒｃｅ　Ｌｏｃａｔｏｒ）等によりどの辞書をダウンロードするかを指定する必要があり、操作が煩雑になる。
【００１０】
本発明の目的は、接続しているネットワーク内においてのみ有効な辞書データを自動的にダウンロードし、辞書エリアを圧迫することなく適切な日本語変換が行えるようにした辞書登録システム及びその端末装置を提供することにある。
【００１１】
【課題を解決するための手段】
本発明は、上記の目的を達成するため、第１の特徴として、それぞれのサイトの利用に適した辞書データを備える複数のネットワークと、設定したダウンロード辞書エリアに前記複数のネットワークのいずれかからダウンロードした辞書データが格納される記憶媒体を有する端末装置とを備え、前記複数のネットワークのいずれかに前記端末装置を接続の際、前記端末装置は接続先のネットワークが保持する辞書データが前記ダウンロード辞書エリアに存在しないときに前記接続先のネットワークから辞書データを自動的にダウンロードすることを特徴とする辞書登録システムを提供する。
【００１２】
この構成によれば、端末装置はネットワークとの接続時に、そのネットワークが備える辞書データが既に端末装置の記憶媒体上のダウンロード辞書エリアに存在するか否かを判断し、ダウンロード辞書エリアに対応する辞書データが存在しないときには、接続したネットワークから辞書データをダウンロード辞書エリアへ自動的にダウンロードする。これにより、接続中のネットワークにおいてのみ有効な辞書データが自動的に端末装置にダウンロードされる結果、端末装置内の記憶媒体の有効利用が図れ、語彙の手動登録処理等の煩わしい操作を行うことなく、日本語変換が適切かつ効率的に行えるようになる。
【００１３】
本発明は、上記の目的を達成するため、第２の特徴として、ネットワークからダウンロードされた辞書データを格納するダウンロード辞書エリアを有する記憶媒体と、前記ネットワークに接続の際、このネットワークの保持する辞書データが前記ダウンロード辞書エリアに存在しないとき、前記辞書データを前記ネットワークから自動的にダウンロードする制御部とを備えることを特徴とする端末装置を提供する。
【００１４】
この構成によれば、ネットワークに接続された端末装置は、前記ネットワークが備える辞書データが記憶媒体上のダウンロード辞書エリアに存在するか否かを判断し、存在しないときには辞書データを前記ネットワークからダウンロード辞書エリアへ自動的にダウンロードする。これにより、接続中のネットワークにおいてのみ有効な辞書データが自動的に端末装置にダウンロードされるので、端末装置内の記憶媒体の有効利用が図れ、語彙の手動登録処理等の煩わしい操作を行うことなく、日本語変換が適切かつ効率的に行えるようになる。
【００１５】
【発明の実施の形態】
以下、本発明の実施の形態を図面に基づいて説明する。
図１は、本発明の辞書登録システムを示す。
ネットワークは複数（ネットワーク１０１，１０２，１０３）が存在し、ネットワーク１０１〜１０３の各々には辞書データが格納されたサーバ１１１，１１２，１１３が接続されている。サーバ１１１〜１１３は個別に辞書データ１２１，１２２，１２３を格納しており、端末装置側からの要求に応じてダウンロードを実行する。
【００１６】
端末装置１３０はユーザによって使用される携帯電話機、ＰＨＳ、ＰＤＡ、パーソナルコンピュータ等であり、表示操作部１４０、ユーザ辞書エリア１５０とダウンロード辞書エリア１６０が設定されているメモリ１８０、表示操作部１４０とメモリ１８０を制御する制御部１７０を備えている。この他、図示を省略しているが、通信インターフェース、表示装置、入力部等を備えている。また、携帯電話機等では、送受信回路、音声処理部、マイク、スピーカ、アンテナ等も備えている。表示操作部１４０は、表示操作のユーザインターフェース（Ｉ／Ｆ）となる。日本語変換時にユーザによって使用されるユーザ辞書エリア１５０には、ユーザにより登録された語彙１５１，１５２，１５３が格納されている。
【００１７】
ダウンロード辞書エリア１６０は、サーバ１１１，１１２，１１３からダウンロードした辞書データが格納される。辞書データは、ダウンロードしたネットワーク名と関連付けして格納される。ダウンロード辞書エリア１６０が満杯になった場合、格納されている辞書データは使用頻度の低いものから順に削除されるものとする。
【００１８】
図１において、サーバ１１１〜１１３が保持する辞書データ１２１〜１２３は、接続されたネットワークでの使用頻度は高いが、他のネットワークでは使用されない特有の（或いは、専門性、特殊性、創造性等のある）語彙のみを保有している。例えば、端末装置１３０がネットワーク１０１に接続したとき、端末装置１３０のダウンロード辞書エリア１６０に辞書データ１２１が存在しないとすると、この辞書データ１２１が自動的に端末装置１３０にダウンロードされる。端末装置１３０でかな漢字変換を行う際、辞書データの参照先はユーザ辞書エリア１５０内の語彙１５１〜１５３と辞書データ１２１のみが対象にされ、ネットワーク１０２，１０３からダウンロードした辞書データ１２２，１２３は対象外となる。同様に、ネットワーク１０２に接続した場合には辞書データ１２２のみが参照対象となり、更に、ネットワーク１０３に接続した場合には辞書データ１２３のみが参照対象となる。
【００１９】
例えば、パーソナルコンピュータでインターネットのホームページを閲覧する場合、その多くは、Ｍｉｃｒｏｓｏｆｔ　（登録商標）に代表されるＩｎｔｅｒｎｅｔ　Ｅｘｐｌｏｒｅｒ　（登録商標）を起動させ、Ｍｉｃｒｏｓｏｆｔ　Ｗｏｒｄ（登録商標）、一太郎（登録商標）等の日本語ワープロソフトとＭＳ−ＩＭＥ（登録商標）等の日本語入力システムを用いて検索やテキストの日本語による入力処理を行っている。ホームページは多種多様であり、日常的に多用される語彙はＭＳ−ＩＭＥ等の辞書（辞書データ）に登録されているので問題はないが、例えば、掲示板サイトのように専門性が高いサイト（音楽関連、車関連、釣り関連、天文関連等）で頻繁に使用される語彙は、殆ど登録されていない。このため、専門性の高いサイトを利用する場合、かな漢字変換を行うのに手間と時間を要することになる。このような不便さを解消するため、各サイトの主催者等が辞書データを準備して提供していることが多い。ユーザは、使用している端末装置にサイトから辞書データをダウンロードすることにより、ダウンロードした辞書データに登録の語彙を利用することができるため、当該サイトの利用は格段に快適になる。
【００２０】
しかし、辞書データのダウンロードの処理に手間を要したり、操作が難しいようでは、専門的な知識を有しない一般ユーザにとって手軽に利用することはできない。そこで、本発明においては、ネットワーク（辞書データを用意している掲示板サイト等）に接続する時、当該ネットワーク用の辞書データが端末装置に存在しなければ、自動的にダウンロードを開始する。また、ダウンロードする辞書データを格納する余地が辞書エリアに無いときには、辞書エリア内を整理して空きを作ってからダウンロードを開始するようにしている。
【００２１】
このような処理により、パーソナルコンピュータ、携帯電話機、ＰＤＡ等の端末装置のかな漢字変換システム用の辞書データにおいて、ネットワーク上からユーザ側の端末が接続しているネットワーク内でのみ有効な辞書データを自動的にダウンロードをすることが可能になり、辞書エリアを圧迫することなく適切な日本語変換が行えるようになる。
具体的には、（ｉ）接続したネットワークに特化した語彙を含む辞書データを利用できることにより、かな漢字変換時に目的の語彙が即座に候補として表示され、効率的にかな漢字変換が可能になる。（ｉｉ）ユーザ辞書に一括で辞書データを格納する場合に比べ、不要な語彙が登録されないので、ダウンロードした辞書データは固定サイズのエリアに使用頻度の高いものが優先して保持され、メモリの有効活用が可能になる。　（ｉｉｉ）手動での辞書登録に比べ、自動で変換対象の語彙が登録されるので、語彙の登録処理を行う手間が省けるようになる。
【００２２】
図２は、図１の端末装置１３０における処理を示す。以下のフローチャートにおいては、ステップを「Ｓ」で表している。ここでは、端末装置１３０がネットワーク１０１に接続を行うものとする。
【００２３】
まず、ネットワークに未接続の状態では、端末装置１３０はイベント待ち状態になっている（Ｓ２０１）。この状態において、ユーザは表示操作部１４０を用いて手動により辞書登録の処理（Ｓ２０２）を行うことができる。また、テキスト編集等のために、かな漢字変換が必要な場合、ユーザ辞書のみを変換の対象辞書とした変換処理（Ｓ２０３）を行うことができる。
【００２４】
次に、ネットワーク１０１に接続を行う場合、ユーザが所定の操作を行えば、ネットワーク１０１への接続が行われる（Ｓ２０４）。端末装置１３０の制御部１７０は、ネットワーク１０１用の辞書データ１２１がダウンロード辞書エリア１６０内に存在するか否かを判断し（Ｓ２０５）、辞書データ１２１が存在しない場合、自動的に辞書データ１２１のダウンロードを開始する（Ｓ２０６）。ダウンロード辞書エリア１６０はメモリ容量に制限がある。そのため、ダウンロードする時点でダウンロード辞書エリア１６０が満杯になっている可能性がある。そこで、ダウンロードの開始に際し、ダウンロード辞書エリア１６０が満杯か否かの判断を行い（Ｓ２０７）、満杯の場合、使用頻度の低い辞書データをダウンロード辞書エリアから削除する（Ｓ２０８）。この削除の完了後、辞書データ１２１をダウンロードし（Ｓ２０６）、このダウンロードが終了すると、イベント待ち状態になる（Ｓ２０９）。
【００２５】
Ｓ２０９において、ユーザが表示操作部１４０を用い、手動により辞書登録を行った場合、登録処理（Ｓ２１０）が行われ、その処理が終了した時点でＳ２０９へリターンする。また、テキスト編集等ためにかな漢字変換が必要になった場合、ユーザ辞書と接続しているネットワーク用の辞書データを参照対象とした変換処理（Ｓ２１１）が行われ、その処理の終了後、処理はＳ２０９に戻され、イベント待ちとなる。また、ネットワーク１０１に対して切断を行う場合、ネットワーク１０１に対する切断処理（Ｓ２０９，Ｓ２１２）をした後、処理はＳ２０１へ戻され、ネットワークに非接続の状態（イベント状態）になる。
【００２６】
以上のように、本発明は、各ネットワーク毎に専用の語彙を持った辞書データを参照するため、各ネットワークに特化した語彙を即座に候補にすることが可能になり、接続先のネットワークに応じた効率的な漢字変換を行うことが可能になる。また、ダウンロード辞書エリア１６０は固定であり、ユーザ辞書エリア１５０には大量のデータが一括登録されることがないため、携帯電話機やＰＨＳ電話機のようにメモリ資源の少ない端末装置であっても、メモリを効率的に使用することができる。
【００２７】
【実施例】
図３は、本発明の辞書登録システムの実施例を示す。ここでは、ユーザによる入力語に対して変換語を予測する機能（携帯電話機、ＰＤＡ等のように、入力デバイスに制約の多い携帯端末装置で採用されることが多い）を用いたかな漢字変換機能に本発明を適用した場合について説明する。図中、図１と同一または同一機能を有するものには同一引用数字を用いている。
【００２８】
この実施例においては、説明を簡略にするため、辞書データは、かな漢字変換時の入力語を変換語の先頭１文字として語彙を蓄積しているものとする。即ち、「く」を入力すると、「クラシック」、「栗」等が変換候補となる。また、ここでは、ユーザが表示操作部１４０より入力した入力語を基に、ユーザが変換を行う変換後を予測して各辞書（辞書データ）から変換語を抽出し、これを変換候補とする。更に、端末装置１３０が接続するネットワークとして、音楽関連の掲示板サイト３１０と車関連の掲示板サイト３２０が存在するものとし、各サイトにはサイトに関連した語彙を含む辞書データ３１１、辞書データ３２１が保持されているものとする。
【００２９】
ユーザによって掲示板サイト３１０に接続が行われると、音楽関連の語彙を含んだ辞書データ３１１が端末装置１３０へダウンロードされ、辞書データ３１１のダウンロード辞書エリア１６０に格納される。ユーザが掲示板への書き込みとしてかな漢字変換処理を行う際、変換語の候補を辞書データ３１１とユーザ辞書を参照して抽出する。同様に、掲示板サイト３２０への接続時は変換語の候補を辞書データ３２１とユーザ辞書を参照して抽出する。
【００３０】
図３の実施例では、ユーザ辞書エリア１５０には果物の語彙が格納され、ダウンロード辞書エリア１６０内の辞書データ３１１には音楽のジャンルの語彙が格納され、更に、辞書データ３２１には車種の語彙が格納されるものとする。入力語として表示操作部１４０から「く」が入力された場合、掲示板サイト３１０に接続時には変換語の候補として「クラシック」と「栗」が表示され、掲示板サイト３２０に接続時は「クーペ」と「栗」が表示される。これにより、各サイトに関連した語とユーザが任意に登録した語のみがかな漢字変換時の候補として表示され、関連しない語は表示されないので、変換候補が煩雑になることがない。
【００３１】
図４は、図３の実施例の処理を示す。図３及び図４を参照して、端末装置１３０のネットワーク１０１への接続から切断までの処理について説明する。
まず、ネットワーク１０１への接続開始時においては、かな漢字変換処理時の辞書データの参照先はユーザ辞書エリア１５０内のユーザ辞書のみに設定されている（Ｓ４０１）。接続完了後、ダウンロード辞書エリア１６０により、現在の接続先であるネットワーク１０１に対応する辞書データ１２１が存在するか否かが検索される（Ｓ４０２）。対応する辞書データ１２１がダウンロード辞書エリア１６０に存在しない場合（Ｓ４０３）、ネットワーク１０１から辞書データ１２１のダウンロードを開始する（Ｓ４０４）。この時、ダウンロード辞書エリア１６０内が満杯かどうかを判断し（Ｓ４０５）、満杯であれば使用回数の最も低い辞書データを削除する（Ｓ４０６）。辞書データを削除した後、処理はＳ４０４に戻され、ダウンロードが再開される。辞書データ１２１をダウンロード辞書エリア１６０に格納後、かな漢字変換処理時の辞書データの参照先をユーザ辞書と接続先ネットワーク用辞書データに設定変更する（Ｓ２０７）。かな漢字変換の処理開始時に使用される辞書データの使用回数をインクリメントする（Ｓ４０８）。辞書データの使用回数はＳ４０６における削除辞書データで参照され、使用回数の少ないデータは使用頻度が低い辞書データと見なされるので、削除対象になる確率が上がる。ネットワーク１０１との接続を切断する時、かな漢字変換処理時の参照先をユーザ辞書のみになるよう、設定が戻される（Ｓ４０９）。ユーザ辞書に戻されることにより、特定のネットワークに対応した辞書から汎用の辞書に戻されるため、普段用いている語彙が利用でき、かな漢字変換処理における違和感を無くすことができる。
【００３２】
上記説明においては、図２の２０８及び図４のＳ４０６の処理では、ダウンロード辞書エリア１６０から削除する辞書データが使用頻度の低い辞書データであるとしたが、使用回数のみに依存した場合、最近ダウンロードしたばかりで使用回数が少ない辞書データが削除の対象になる可能性が高くなる。このようなケースが懸念される場合には、最も古い辞書データ（最も過去に使用された辞書データ）を削除の対象にすればよい。古い辞書データは、今後も使われる可能性が低いため、削除しても問題になる可能性は低くなる。
【００３３】
また、辞書データの使用回数による判断のほか、同一ネットワークへのアクセス回数により判断してもよい。１つのネットワークに関する辞書データの使用回数と、１つのネットワークに対するアクセス回数とは比例すると考えられる。したがって、図２の２０８及び図４のＳ４０６の処理は、辞書データの使用回数を同一ネットワークに対するアクセス回数に置き換えることができる。
【００３４】
本発明では、辞書データにおいて、以下のような変更も可能である。
（ａ）各ネットワークの掲示板への書き込みで頻出する語彙を自動的に辞書データに登録できるようにする。
（ｂ）データ更新日時を辞書データに記録できるようにする。
（ｃ）端末装置側で辞書データ内の各語彙の使用頻度を計測し、計測結果を辞書データダウンロード元のネットワークに通知できるようにする。
（ｄ）ネットワーク側は、端末装置から通知された使用頻度データに基づいて、使用頻度の低い語彙を自動的に辞書データ内の語彙から削除する。
これらの機能により、ネットワークには流行を反映した最新の語彙が登録された辞書データが保持される。端末装置側は、現在、ダウンロード辞書エリア１６０に保持されている辞書データとネットワーク側の辞書データの更新日時を比較し、更新されていればダウンロードすることで、常に最新の辞書データを保持することが可能となる。
【００３５】
【発明の効果】
以上より明らかなように、本発明の辞書登録システムによれば、端末装置はネットワークとの接続時に、ダウンロード辞書エリアに対応する辞書データが存在しないことを判断すれば、接続したネットワークから辞書データがダウンロード辞書エリアへ自動的にダウンロードされる様にしたので、接続中のネットワークにおいてのみ有効な辞書データが自動的に端末装置にダウンロードされるので、端末装置内の記憶媒体の有効利用が図れ、語彙の手動登録処理等の煩わしい操作を行うことなく、日本語変換が適切かつ効率的に行えるようになる。
【００３６】
さらに、本発明の端末装置によれば、ネットワークに接続された端末装置は、前記ネットワークが備える辞書データが記憶媒体上のダウンロード辞書エリアに存在しないことを判断すれば、接続したネットワークからダウンロード辞書エリアへ辞書データが自動的にダウンロードされる様にしたので、接続中のネットワークにおいてのみ有効な辞書データが自動的に端末装置にダウンロードされるので、端末装置内の記憶媒体の有効利用が図れ、語彙の手動登録処理等の煩わしい操作を行うことなく、日本語変換が適切かつ効率的に行えるようになる。
【図面の簡単な説明】
【図１】本発明の辞書登録システムを示すブロック図である。
【図２】図１の端末装置における処理を示すフローチャートである。
【図３】本発明の辞書登録システムの実施例を示すブロック図である。
【図４】図３の実施例の処理を示すフローチャートである。
【図５】端末装置における従来の辞書登録システムを示すブロック図である。
【符号の説明】
１０１，１０２，１０３　ネットワーク
１１１，１１２，１１３　サーバ
１２１，１２２，１２３　辞書データ
１３０　端末装置
１４０　表示操作部
１５０　ユーザ辞書エリア
１５１，１５２，１５３　語彙
１６０　ダウンロード辞書エリア
１７０　制御部
１８０　メモリ
３１０　掲示板サイト
３１１　辞書データ
３２０　掲示板サイト
３２１　辞書データ
５００　ネットワーク
５２０　端末装置
５４１，５４２，５４３　辞書データ
５４０　サーバ
５６０　表示操作部
５８０　メモリ
５９０　ユーザ辞書エリア
５９１，５９２，５９３　語彙
【図１】
2004078664.tif 000003
【図２】
2004078664.tif 000004
【図３】
2004078664.tif 000005
【図４】
2004078664.tif 000006
【図５】
2004078664.tif 000007